(57)【要約】      （修正有）【課題】視覚を刺激する豊かな表現が可能となる絵画等の装飾物を提供する。【解決手段】装飾物は、土台９と複数の装飾部材とを有する。３次元的な形状を有する土台９の上に複数の異なる色からなる装飾部材を固定部材で固定する。土台９は、板状の平面部材１１と、平面部材１１の平面に当該平面から吐出するように固定された吐出部材１５とで構成されている。装飾部材は、例えば毛糸を編んで構成されている。【選択図】図１
0003232569.tif 000002
【実用新案登録請求の範囲】
【請求項１】
３次元的な形状を有する土台と、
複数の装飾部材と、
前記複数の装飾部材を前記土台に固定する複数の固定部材と、
を有し、
前記土台に前記固定部材によって固定された前記装飾部材によって前記土台の形状に応じた立体的なデザインが形成されている
装飾物。
【請求項２】
前記装飾部材は、線状体である
請求項１に記載の装飾物。
【請求項３】
線状体である複数の前記装飾部材を帯状にした曲線デザインを形成している
請求項２に記載の装飾物。
【請求項４】
異なる色の前記複数の装飾部材を有する
請求項１〜３のいずれかに記載の装飾物。
【請求項５】
前記土台は、板状の平面部材と、当該平面部材の平面に当該平面から吐出するように固定された吐出部材とで構成されている
請求項１〜４のいずれかに記載の装飾物。
【請求項６】
前記装飾部材は毛糸を編んで構成されている
請求項５のいずれかに記載の装飾物。
【考案の詳細な説明】
【技術分野】
【０００１】
本考案は、立体的な形状を備えた絵画等の装飾物に関する。
【背景技術】
【０００２】
従来の絵画は、平面的なものが多い。
【考案の概要】
【考案が解決しようとする課題】
【０００３】
しかしながら、平面的なデザインだと多様な表現が難しい。
強いインパクトがあり、視覚を刺激する豊かな表現が可能となる絵画等の装飾物を製作したいという要請がある。
【０００４】
そこで本考案は、視覚を刺激する豊かな表現が可能となる絵画等の装飾物を提供することを目的とする。
【課題を解決するための手段】
【０００５】
上記課題を解決するために、本考案の装飾物は、３次元的な形状を有する土台と、複数の装飾部材と、前記複数の装飾部材を前記土台に固定する複数の固定部材と、を有し、前記土台に前記固定部材によって固定された前記装飾部材によって前記土台の形状に応じた立体的なデザインが形成されている。
【０００６】
好適には、前記装飾部材は、線状体である。
【０００７】
好適には、線状体である複数の前記装飾部材を帯状にした曲線デザインを形成している。
【０００８】
好適には、異なる色の前記複数の装飾部材を有する。
【０００９】
好適には、前記土台は、板状の平面部材と、当該平面部材の平面に当該平面から吐出するように固定された吐出部材とで構成されている。
【００１０】
好適には、前記装飾部材は毛糸を編んで構成されている。
【考案の効果】
【００１１】
本考案によれば、視覚を刺激する豊かな表現が可能となる絵画等の装飾物を提供することができる。
【図面の簡単な説明】
【００１２】
【図１】図１は、本考案の実施形態に係る装飾物の土台を説明するための図である。
【図２】図２は、本考案の実施形態に係る装飾物の装飾部材を説明するための図である。
【図３】図３は、図２に示す装飾部材を土台に固定する方法を説明するための図である。
【図４】図４は、本考案の装飾物の製造工程を説明するための図である。
【図５】図５は、図４に示すステップＳＴ１を説明するための図である。
【図６】図６は、本考案のその他の装飾物を説明するための図である。
【考案を実施するための形態】
【００１３】
本実施形態の装飾物は、例えば、個別に編み上げたニットの部品を、立体的に造形したキャンバスの上に組み合わせることで形作る独自の技法”ニット立体編み込み技法“を用いることによって、多彩な表現を実現する。風水や心理学、脳科学などの概念や要素をデザインに盛り込み、作品を見る人により良い影響を与えることを考えて、製作したものである。
【００１４】
これにより、独創的なストリームラインと大胆な隆起、視覚を刺激する色、そしてニットによって編み上げられた立体的なデザインを実現可能である。これらの要素を相互に働かせることによって形作られたデザインは、鑑賞者に良い影響をあたえることを追求したものである
【００１５】
以下、本考案の実施形態に係る装飾物について図面を参照しつつ詳しく説明する。
図１は、本考案の実施形態に係る装飾物の土台を説明するための図である。図２は、本考案の実施形態に係る装飾物の装飾部材を説明するための図である。図３は、図２に示す装飾部材を土台に固定する方法を説明するための図である。図４は、本考案の装飾物の製造工程を説明するための図である。図５は、図４に示すステップＳＴ１を説明するための図である。
【００１６】
本実施形態の装飾物１は、図１に示す土台９と、図２及び図３に示す複数の装飾部材２１とを有する。
また図３に示すように、装飾部材２１は、土台９に固定部材３１によって固定されている。
【００１７】
土台９は、３次元的な形状を有している。すなわち、土台９は、板状の平面部材１１と、平面部材１１の平面に当該平面から吐出するように固定された吐出部材１５とで構成されている。
【００１８】
装飾物１では、土台９の表面に、図３に示すように、固定部材３１によって装飾部材２１が固定される。これにより、図１に示す土台９の吐出部材１５の立体的なデザインが装飾部材２１によって形成されている。装飾部材２１は、例えば毛糸を編んで構成されている。
【００１９】
土台９には、複数の色の装飾部材２１が固定され、高いデザイン性を発揮できる。
【００２０】
図４は、本考案の装飾物の製造工程を説明するための図である。
ステップＳＴ１：
制作者のインスピレーションに応じて、図５に示すようなラフなデザインを紙にペン等で描く。
【００２１】
そして、走り書きのラフデザインをもとに、おおよそのデザインを決めるための試作品を作成する。製作者の脳の中で、２次元のラフデザインを３次元に変換し、そして、さらに、色や隆起、そして風水学で言うところの氣の流れなどの要素を組み入れながら、実際にニットで編みながら高次元化するための準備をする。
【００２２】
ステップＳＴ２：
ステップＳＴ１で決めたラフなデザインを基に、図１に示す土台９を製作する。
【００２３】
ステップＳＴ３：
ステップＳＴ１で決めたラフなデザインを基に、次は装飾部材２１（パーツ）の制作を行う。具体的には、立体的に編み上げた数百点にも及ぶパーツを、毛糸を編んで製作する。
このとき、意図するデザインを実現するためには、毛糸にある程度の硬さがある毛糸を用いる。
【００２４】
ステップＳＴ４：
ステップＳＴ２で製作した装飾部材２１をステップＳＴ１で製作した土台９に固定部材３１で固定する。
【００２５】
パーツを自作の土台９（ベース）の上に組み上げていく。このベースは、フラワーアレンジメントで使われるオアシス(花を固定するために使われる緑色の吸水スポンジ)のイメージである。デザインによっては、このベース自体に立体感を予め作っておくこともある。
【００２６】
思い通りの周波数を作り上げるために、ときには編んでは解(ほど)き、編んでは解きを何百回と繰り返しながら、望んだ形を具現化していく。また、この多彩な表現を可能とするために、独自の技法「ニット立体編み込み技法」を考案した。
【００２７】
以上説明したように、本実施形態の装飾物によれば、立体的な土台９の上に毛糸の装飾部材２１で装飾するので、視覚を刺激する豊かな表現が可能となる絵画等の装飾物を提供できる。
【００２８】
すなわち、本実施形態の装飾物は、例えば、個別に編み上げたニットの部品を、立体的に造形したキャンバスの上に組み合わせることで形作る独自の技法”ニット立体編み込み技法“を用いることによって、多彩な表現を実現できる。これにより、独創的なストリームラインと大胆な隆起、視覚を刺激する色、そしてニットによって編み上げられた立体的なデザインを実現可能である。
【００２９】
本考案は上述した実施形態には限定されない。
すなわち、当業者は、本発明の技術的範囲またはその均等の範囲内において、上述した実施形態の構成要素に関し、様々な変更、コンビネーション、サブコンビネーション、並びに代替を行ってもよい。
【００３０】
図６は、本考案のその他の装飾物を説明するための図である。
図６に示すように、本実施形態の装飾物では、線状の複数の装飾部材１２１を帯状に束ねて土台上に曲線デザインを描くように固定部材で固定している。
複数の装飾部材１２１として異なる複数の色の素材を用いることで多様なデザインを表現している。
【００３１】
また、土台９の立体構造、装飾部材２１の数や形状等は特に限定されるものではない。また、装飾部材２１、１２１の素材も任意である。
【符号の説明】
【００３２】
１…装飾物
９…土台
１１…平面部材
１５…吐出部材
２１，１２１…装飾部材
３１…固定部材
【図１】
0003232569.tif 000003
【図２】
0003232569.tif 000004
【図３】
0003232569.tif 000005
【図４】
0003232569.tif 000006
【図５】
0003232569.tif 000007
【図６】
0003232569.tif 000008